(57)【要約】【課題】伝送路に依存しないサンプリング同期を実現できる保護制御装置を提供する。【解決手段】保護制御装置１０は、電力系統から得られる系統電気量をサンプリングするタイミングを決定する同期発振器１２と、系統電気量から位相を計測するサンプリング位相計測手段１３と、サンプリング位相計測手段１３により計測した位相に基づいて、同期発振器１２によるサンプリングするタイミングを補正する同期発振器補正手段１４と、を備え、同期発振器補正手段１４は、サンプリング位相計測手段１３が計測した位相と他装置で計測された位相とを比較して最も位相が近似している値での位相差分を算出し、その差分だけ同期発振器１２により決定されるサンプリングのタイミングを補正する。【選択図】図１
2013251969.tif 000002
【特許請求の範囲】
【請求項１】
対向する伝送路を用いて他装置と周期的なデータ送受信を行う電力系統の保護制御装置において、
電力系統から得られる系統電気量をサンプリングするタイミングを決定する同期発振器と、
前記系統電気量から位相を計測するサンプリング位相計測手段と、
前記サンプリング位相計測手段により計測した位相に基づいて、前記同期発振器によるサンプリングするタイミングを補正する同期発振器補正手段と、
を備え、
前記同期発振器補正手段は、前記サンプリング位相計測手段が計測した位相と他装置で計測された位相とを比較して最も位相が近似している値での位相差分を算出し、その差分だけ前記同期発振器により決定されるサンプリングのタイミングを補正することを特徴とする保護制御装置。
【請求項２】
対向する伝送路を用いて他装置と周期的なデータ送受信を行う電力系統の保護制御装置において、
電力系統から得られる系統電気量をサンプリングするタイミングを決定する同期発振器と、
前記同期発振器により決定されたタイミングで順次サンプリングされた系統電気量に、サンプリング順に識別記号を付加する識別記号付加手段と、
前記識別記号が付加された任意の時点の系統電気量に対して、前記他装置から取得された系統電気量であって各々識別記号が付加された複数の系統電気量のうち最も近似しているものを探索し、前記任意の時点の系統電気量に付加された識別記号を前記最も近似している他装置の系統電気量に付加されている識別記号に補正する識別記号補正手段と、
前記系統電気量から位相を計測するサンプリング位相計測手段と、
前記サンプリング位相計測手段により計測した位相に基づいて、前記同期発振器によるサンプリングするタイミングを補正する同期発振器補正手段と、
を備え、
前記同期発振器補正手段は、前記補正により識別記号を合わせた双方の系統電気量の位相を対比することにより位相差分を算出し、その差分だけ前記同期発振器により決定されるサンプリングのタイミングを補正することを特徴とする保護制御装置。
【請求項３】
前記同期発振器補正手段の前段に、前記系統電気量から系統周波数を計測する系統周波数計測手段を設け、
前記同期発振器補正手段が、前記系統周波数計測手段により計測した系統周波数と他装置で計測された系統周波数とを比較して差分を算出し、その差分だけ前記同期発振器により決定されるサンプリングのタイミングを補正することを特徴とする請求項１又は２記載の保護制御装置。
【請求項４】
前記同期発振器補正手段の前段に、前記系統電気量から系統周期を計測する系統周期計測手段を設け、
前記同期発振器補正手段が、前記系統周期計測手段により計測した系統周期と他装置で計測された系統周期とを比較して差分を算出し、その差分だけ前記同期発振器により決定されるサンプリングのタイミングを補正することを特徴とする請求項１又は２記載の保護制御装置。
【請求項５】
前記系統電気量は、瞬時電流値であることを特徴とする請求項１乃至４のいずれか１項記載の保護制御装置。
【発明の詳細な説明】
【技術分野】
【０００１】
本発明の実施形態は、複数装置間で対向伝送によりデータの授受を行なう保護制御装置に関する。
【背景技術】
【０００２】
電力系統を保護するディジタル保護制御装置は、電力系統の電気量や状態量を入力してディジタル量に変換し、このディジタル量を用いて所定の保護制御演算を行い、この演算結果に応じて遮断器等の機器を制御することにより、電力系統の保護制御を行うものである。その代表例としては、送電線保護用の電流差動保護制御装置が挙げられる。
【０００３】
この電流差動保護制御装置では、送電線の両端に設置した装置間において、電流量をサンプリングした瞬時値を電気角で３０度毎にサイクリック（周期的）伝送し、同時刻にサンプリングしたデータを突き合わせることにより、差動電流を求める演算を実施している。
【０００４】
図１１は、電流差動保護制御装置におけるサンプリング同期制御の原理を説明する図である。
図１１において、第１の保護制御装置の特定タイミングから、第２の保護制御装置の特定タイミングのデータの受信までの時間をＴＭとし、第２の保護制御装置の特定タイミングから、第１の装置の特定タイミングのデータ受信までの時間をＴＦとする。また、第２の保護制御装置から第１の保護制御装置への伝送（以下、「上り伝送」と記す。）の伝送遅延時間をＴｄ１、第１の保護制御装置から第２の保護制御装置への伝送（以下、「下り伝送」と記す。）の伝送遅延時間をＴｄ２、サンプリング同期誤差をΔＴとすると、ＴＦ、ＴＭとΔＴの関係は式（１）で表すことができる。
ＴＭ＝Ｔｄ１−ΔＴ
ＴＦ＝ΔＴ＋Ｔｄ２
よって
ΔＴ＝（ＴＦ−ＴＭ＋Ｔｄ１−Ｔｄ２）／２・・・（１）
【０００５】
保護制御装置では、ＴＦとＴＭが計測可能であるため、上り下りの伝送路を同一ルートで同じ伝送装置を用いることで伝送遅延時間Ｔｄ１とＴｄ２が等しいと仮定すると、
ＴＦ−ＴＭ＝０・・・（２）
となるようにサンプリンタイミングを制御することにより、同一時刻でのサンプリング（サンプリング同期）が実現できる。
【先行技術文献】
【特許文献】
【０００６】
【特許文献１】特開昭５０−４９６４５号公報
【発明の概要】
【発明が解決しようとする課題】
【０００７】
上述した送電線の両端子における電流差動保護制御装置の同期合わせは、上り下りの伝送路の伝送遅延時間が同じで且つ一定であることを利用している。しかしながら、伝送路にイーサネット網などを使用した場合は、上り下りの伝送遅延時間が異なり且つ一定でない場合があり、このとき同期誤差を補正する制御ができない。
【０００８】
本発明の実施形態は、伝送路に依存しないサンプリング同期を実現できる保護制御装置を提供することを目的とする。
【課題を解決するための手段】
【０００９】
上述の目的を達成するため、本発明の実施形態は、対向する伝送路を用いて他装置と周期的なデータ送受信を行う電力系統の保護制御装置において、電力系統から得られる系統電気量をサンプリングするタイミングを決定する同期発振器と、前記系統電気量から位相を計測するサンプリング位相計測手段と、前記サンプリング位相計測手段により計測した位相に基づいて、前記同期発振器によるサンプリングするタイミングを補正する同期発振器補正手段と、を備え、前記同期発振器補正手段は、前記サンプリング位相計測手段が計測した位相と他装置で計測された位相とを比較して最も位相が近似している値での位相差分を算出し、その差分だけ前記同期発振器により決定されるサンプリングのタイミングを補正することを特徴とする。
【００１０】
また、本発明の実施形態は、対向する伝送路を用いて他装置と周期的なデータ送受信を行う電力系統の保護制御装置において、電力系統から得られる系統電気量をサンプリングするタイミングを決定する同期発振器と、前記同期発振器により決定されたタイミングで順次サンプリングされた系統電気量に、サンプリング順に識別記号を付加する識別記号付加手段と、前記識別記号が付加された任意の時点の系統電気量に対して、前記他装置から取得された系統電気量であって各々識別記号が付加された複数の系統電気量のうち最も近似しているものを探索し、前記任意の時点の系統電気量に付加された識別記号を前記最も近似している他装置の系統電気量に付加されている識別記号に補正する識別記号補正手段と、前記系統電気量から位相を計測するサンプリング位相計測手段と、前記サンプリング位相計測手段により計測した位相に基づいて、前記同期発振器によるサンプリングするタイミングを補正する同期発振器補正手段と、を備え、前記同期発振器補正手段は、前記補正により識別記号を合わせた双方の系統電気量の位相を対比することにより位相差分を算出し、その差分だけ前記同期発振器により決定されるサンプリングのタイミングを補正することを特徴とする。
【図面の簡単な説明】
【００１１】
【図１】本発明の第１の実施形態に係る保護制御装置の構成を示すブロック図。
【図２】第１の実施形態における位相の同期方法を示すフローチャート。
【図３】本発明の第２の実施形態に係る保護制御装置の構成を示すブロック図。
【図４】第２の実施形態における識別記号の同期方法を示すフローチャート。
【図５】第２の実施形態における識別記号の同期方法を説明する図であり、（ａ）は自装置の電流値と識別記号の対応関係を表す図、（ｂ）は受信した他装置の電流値と識別記号の対応関係を表す図、（ｃ）は補正後の自装置の電流値と識別記号の対応関係を表す図。
【図６】第２の実施形態における位相の同期方法を示すフローチャート。
【図７】本発明の第３の実施形態に係る保護制御装置の構成を示すブロック図。
【図８】第３の実施形態におけるサンプリングタイミングの同期制御方法を示すフローチャート。
【図９】本発明の第４の実施形態に係る保護制御装置の構成を示すブロック図。
【図１０】第４の実施形態におけるサンプリングタイミングの同期制御方法を示すフローチャート。
【図１１】サンプリング同期制御の原理を説明する図。
【発明を実施するための形態】
【００１２】
以下、本発明の実施形態について、図面を参照して具体的に説明する。
【００１３】
［第１の実施形態］
（構成）
図１は、本発明の第１の実施形態に係る保護制御装置の構成を示すブロック図である。
【００１４】
本実施形態の保護制御装置１０において、１１は入力変換手段、１２は同期発振器、１３はサンプリング位相計測手段、１４は同期発振器補正手段、１５は送信手段、１６は受信手段を示す。
【００１５】
入力変換手段１１は、同期発振器１２が出す同期信号をトリガとして電力系統の電気量（以下、「系統電気量」と記す）をデジタルデータに変換する手段である。同期発振器１２は、系統電気量をサンプリングするタイミングを決定する手段である。サンプリング位相計測手段１３は、入力変換手段１１を介して、同期発振器１２により決定されたタイミングで系統電気量から位相を計測する手段である。また、送信手段１５は前記位相を他装置に送信する手段であり、受信手段１６は他装置でサンプリングされた系統電気量から計測した位相を受信する手段である。
【００１６】
さらに、同期発振器補正手段１４は、サンプリング位相計測手段１３が系統電気量から計測した位相と、受信手段１６を介して他装置から受信した位相とを比較し、最も位相が近似している値での位相差を算出し、その位相差分だけ同期発振器１２により決定されるサンプリングのタイミングを補正する手段である。
【００１７】
（サンプリングタイミングの同期制御方法）
次に、保護制御装置間で伝送によってやりとりされる系統電気量情報のサンプリングタイミングを同期制御する方法について、図２に従って説明する。
【００１８】
図２は、本実施形態における位相の同期方法を示すフローチャートである。
サンプリング位相計測手段１３は、入力変換手段１１を介して系統電気量である電流値を所定間隔毎に取得（サンプリング）し、その位相を計測する（ステップＳ１１，１２）。
【００１９】
ここで、瞬時電流値ｉは振幅値Ｉｍを用いて次のように表現される。
ｉ＝Ｉｍ・ｓｉｎ（θ）・・・・・（１）
これにより、位相θは、以下の式で求められる。
θ＝ａｒｃｓｉｎ（ｉ／Ｉｍ）・・・・・（２）
【００２０】
一方、受信手段１６は、他装置でサンプリングされた電流値から計測した位相を受信する（ステップＳ１３）。同期発振器補正手段１４は、サンプリング位相計測手段１３が系統電気量から計測した位相と、受信手段１６を介して他装置から受信した位相とを比較し、最も位相が近似している値での位相差、即ち差分を算出する（ステップＳ１４）。次に、同期発振器補正手段１４は、同期発振器１２により決定されるサンプリングのタイミングを上記差分だけ補正する（ステップＳ１５）。これにより、自装置と他装置とで系統電気量をサンプリングするタイミングを同期する。
【００２１】
さらに、入力変換手段１１は、補正された同期発振器１２が出す同期信号をトリガにして、サンプリングタイミングを同期した系統電気量をデジタルデータに変換し、取得する（ステップＳ１６）。
続いて、サンプリング位相計測手段１３により、同期した系統電気量から位相を計測する（ステップＳ１７）。
【００２２】
さらに、送信手段１５は、計測した位相を同期する他装置に送信する（ステップＳ１８）。
【００２３】
（効果）
本実施形態によれば、位相の同期を行なうことにより、上り下りの伝送遅延時間に差がある場合でも、効率良くサンプリング同期を確立することができる。
【００２４】
［第２の実施形態］
（構成）
図３は、本発明の第２の実施形態に係る保護制御装置の構成を示すブロック図である。なお、図１と同一部分については同一符号を付し、説明を省略する。
【００２５】
本実施形態の保護制御装置２０では、入力変換手段１１、同期発振器１２、同期発振器補正手段１４、送信手段１５、及び受信手段１６、が設けられている点は、第１の実施形態の保護制御装置１０と同様である。しかし、本実施形態の保護制御装置２０は、さらに、系統電気量計測手段１７、識別記号付加手段１８、識別記号補正手段１９が設けられている。
【００２６】
系統電気量計測手段１７は、入力変換手段１１を介して、同期発振器１２により決定されたタイミングで系統電気量を計測する手段である。識別記号付加手段１８は、順次サンプリングされた系統電気量に、サンプリング順に識別記号を付加する手段である。識別記号補正手段１９は、識別記号付加手段１８により識別記号が付加された系統電気量に対して、所定の識別記号に補正する手段である。
【００２７】
（サンプリングタイミングの同期制御方法）
次に、保護制御装置間で伝送によってやりとりされる系統電気量情報のサンプリングタイミングを同期制御する方法について、図４乃至図６に従って説明する。
【００２８】
（第１段階：識別記号の同期（図４））
図４は、本実施形態における識別記号の同期方法を示すフローチャートである。
【００２９】
まず、入力変換手段１１によりディジタル量に変換した系統電気量を、系統電気量計測手段１３により所定間隔毎に計測する（ステップＳ２１）。系統電気量としては、電流値（Ａ）が好適に用いられる。次に、識別記号付加手段１８により、これらの系統電気量に対して計測順（サンプリング順）に識別記号を付加する（ステップＳ２２）。
【００３０】
例えば、図５（ａ）に示すように、系統電気量計測手段１７により任意の時点から所定間隔毎に計測した電流値が、ｓｉｎカーブに従い、順に１．５Ａ，２．６Ａ，３．０Ａ，２．６Ａ，１．５Ａ，０．０Ａ，・・・であったとする。この場合、識別記号付加手段１８は、計測された各電流値に識別記号として順に１（上り），２（上り），３，４（下り），５（下り），６（下り）・・・のように番号と状態（上り：電流値が増加状態にある場合、下り：電流値が減少状態にある場合）を付加していく（図５（ａ））。
【００３１】
一方、受信手段１６は、他の装置により同様に識別記号が付加された系統電気量である電流値を所定間隔毎に受信する（ステップＳ２３）。この場合、図５（ｂ）に示すように、例えば、受信した１組のデータ（電流値（Ａ）、識別記号）が、順に（０．３，８（上り））、（１．７，９（上り））、（２．７，１０（上り））、（３．０，１１）、（２．５，１２（下り））、（１．３，１３（下り））、（−０．３，１４（下り））、・・・とする。
【００３２】
次に、識別記号補正手段１９は、識別記号付加手段１８により識別番号が付加された任意の系統電気量に対して、受信手段１６で受信した識別記号が付加された他装置からの系統電気量のうち最も近似しているものを探索する（ステップＳ２４）。続いて、識別記号補正手段１９は、自装置の識別記号を他装置の識別記号に合わせ、さらにそれ以降の自装置の識別記号についても他装置と同一となるよう識別記号付加手段１８により識別記号を補正する（ステップＳ２５）。
【００３３】
例えば、図５（ａ）において、自装置の電流値１．５（識別記号１（上り））と最も近似しているのは図５（ｂ）における他装置の電流値１．７（識別記号９（上り））であるので、図５（ｃ）に示すように、自装置の電流値１．５に付加する識別記号を、他装置の電流値に付加されている識別記号９（上り）に補正する。さらにそれ以降の自装置の識別記号についても他装置の識別記号と同一となるように、（２．６，１０（上り））、（３．０，１１）、（２．６，１２（下り））、（１．５，１３（下り））、（０．０，１４（下り））、・・・と補正して、識別記号を他装置のそれに合わせる（図５（ｃ））。
さらに、送信手段１５は、同期した識別記号が付加された系統電気量を他装置に送信する（ステップＳ２６）。
【００３４】
（第２段階：位相の同期（図６））
第１段階では、例えば、自装置の電流値１．５と多装置の電流値１．７、自装置の電流値２．６と多装置の電流値２．７、・・・自装置の電流値０．０と多装置の電流値−０．３、とを識別記号を同じにすることで対応させたが、両者の電流値は異なっている。これは、それぞれの装置でサンプリングする際の位相が異なっていることを意味している。従って、位相を両者で合わせて両者の電流値の値を同一にすることによって、保護制御装置間を同期させることができる。第２段階では、第１の実施形態と同様に、保護制御装置の位相を同期する方法について説明する。
【００３５】
図６は、本実施形態における位相の同期方法を示すフローチャートである。
サンプリング位相計測手段１３は、系統電気量計測手段１７を介して系統電気量である電流値を所定間隔毎に取得し、その位相を計測する（ステップＳ３１，３２）。
【００３６】
一方、受信手段１６は、他の装置が計測した位相を受信する（ステップＳ３３）。同期発振器補正手段１４は、自装置で計測した位相と受信手段１６により受信した位相とを対比し、差分を算出する（ステップＳ３４）。次に、同期発振器補正手段１４は、同期発振器１２を上記差分だけ補正する（ステップＳ３５）。これにより、自装置と他装置とで系統電気量をサンプリングするタイミングを同期する。
【００３７】
さらに、入力変換手段１１は、補正された同期発振器１２が出す同期信号をトリガにして、サンプリングタイミングを同期した系統電気量をデジタルデータに変換し、取得する（ステップＳ３６）。
続いて、サンプリング位相計測手段１３により、同期した系統電気量の位相を計測する（ステップＳ３７）。
【００３８】
さらに、送信手段１５は、計測した位相を同期する他装置に送信する（ステップＳ３８）。
【００３９】
（効果）
本実施形態によれば、第１段階として識別記号の同期を行い、第２段階として位相の同期を行なうことにより、上り下りの伝送遅延時間に差がある場合でも、精度良くサンプリング同期を確立することができる。
【００４０】
［第３の実施形態］
同期発振器１２が具備する発振器の個体差のため、時間経過とともに個体差が蓄積し、サンプリング同期の誤差が拡大する場合がある。本実施形態および後述する第４の実施形態ではこのようなサンプリング同期誤差の拡大を抑える方法について説明する。
【００４１】
（構成）
図７は、本発明の第３の実施形態に係る保護制御装置の構成を示すブロック図である。なお、図１と同一部分については同一符号を付し、説明を省略する。
【００４２】
本実施形態の保護制御装置３０では、入力変換手段１１、同期発振器１２、同期発振器補正手段１４、送信手段１５、及び受信手段１６が設けられている点は、第１の実施形態の保護制御装置１０と同様である。
【００４３】
しかし、保護制御装置３０では、入力変換手段１１と同期発振器補正手段１４との間に、系統周波数を計測するための系統周波数計測手段２１が新たに設けられ、送信手段１５と接続されている。以下、このように構成された保護制御装置３０によるサンプリングタイミングの同期制御方法について説明する。
【００４４】
（作用）
図８は、第３の実施形態におけるサンプリングタイミングの同期制御方法を示すフローチャートである。
まず、入力変換手段１１は、同期発振器１２が出す同期信号をトリガにして、系統電気量をデジタルデータに変換し、取得する（ステップＳ４１）。次に、系統周波数計測手段２１は、系統周波数を計測する（ステップＳ４２）。
【００４５】
一方、受信手段１６は、他の装置が計測した系統周波数を受信する（ステップＳ４３）。同期発振器補正手段１４は、自装置で計測した系統周波数と受信手段１６により受信した系統周波数とを対比し、差分を算出する（ステップＳ４４）。次に、同期発振器補正手段１４は、同期発振器１２を上記差分だけ補正する（ステップＳ４５）。これにより、自装置と他装置とで系統電気量をサンプリングするタイミングを同期する。
【００４６】
さらに、入力変換手段１１は、サンプルタイミングを同期した同期発振器１２が出す同期信号をトリガにして、系統電気量をデジタルデータに変換し、取得する（ステップＳ４６）。
続いて、系統周波数計測手段２１により、同期した系統周波数を計測する（ステップＳ４７）。
【００４７】
さらに、送信手段１５は、計測した系統周波数を同期する他装置に送信する（ステップＳ４８）。
【００４８】
（効果）
本実施形態によれば、受信した系統周波数と、自装置で計測した系統周波数とを同期発振器補正手段１４によって対比し、差分について同期発振器１２を補正することで、同期発振器１２が同期信号を出す時間的間隔を一致させることができる。これにより、発振器の個体差や時間経過によるサンプリング同期誤差の拡大を抑制することができる。
【００４９】
［第４の実施形態］
（構成）
次に、本発明の第４の実施の形態を説明する。図９は、本発明の第４の実施形態に係る保護制御装置の構成を示すブロック図である。なお、図１と同一部分については同一符号を付し、説明を省略する。
【００５０】
本実施形態の保護制御装置４０では、入力変換手段１１、同期発振器１２、同期発振器補正手段１４、送信手段１５、及び受信手段１６が設けられている点は、第１の実施形態の保護制御装置１０と同様である。
【００５１】
しかし、保護制御装置４０では、入力変換手段１１と同期発振器補正手段１４との間に、系統周期を計測するための系統周期計測手段３１が新たに設けられ、送信手段１５と接続されている。以下、このように構成された保護制御装置４０によるサンプリングタイミングの同期制御方法について説明する。
【００５２】
（作用）
図１０は、第４の実施形態におけるサンプリングタイミングの同期制御方法を示すフローチャートである。
まず、入力変換手段１１は、同期発振器１２が出す同期信号をトリガに系統電気量をデジタルデータに変換し、取得する（ステップＳ５１）。次に、系統周期計測手段３１は、系統周期を計測する（ステップＳ５２）。
【００５３】
一方、受信手段１６は、他の装置が計測した系統周期を受信する（ステップＳ５３）。同期発振器補正手段１４は、自装置で計測した系統周期と受信手段１６により受信した系統周期とを対比し、差分を算出する（ステップＳ５４）。次に、同期発振器補正手段１４は、同期発振器１２を上記差分だけ補正する（ステップＳ５５）。これにより、自装置と他装置とで系統電気量をサンプリングするタイミングを同期する。
【００５４】
さらに、入力変換手段１１は、サンプルタイミングを同期した同期発振器１２が出す同期信号をトリガにして、系統電気量をデジタルデータに変換し、取得する（ステップＳ５６）。
続いて、系統周期計測手段３１により、同期した系統周期を計測する（ステップＳ５７）。
【００５５】
さらに、送信手段１５は、計測した系統周期を同期する他装置に送信する（ステップＳ５８）。
【００５６】
（効果）
本実施形態によれば、受信した系統周期と、自装置で計測した系統周期とを同期発振器補正手段１４によって対比し、差分について同期発振器１２を補正することで、同期発振器１２が同期信号を出す時間的間隔を一致させることができる。これにより、発振器の個体差や時間経過によるサンプリング同期誤差の拡大を抑制することができる。
【００５７】
[他の実施形態]
（１）第１の実施形態では、系統電気量として電流値を用いたが、電圧値を用いることもできる。
【００５８】
（２）第１の実施形態では、識別記号として、番号と状態を用いたが、状態毎に番号を変えることによって番号のみを用いることもできる。また、計測順序を判別できるものであれば、番号以外の記号を用いても良い。
【００５９】
（３）送信手段１５については、第１の実施形態と第２の実施形態の第２段階では位相、第２の実施形態では系統周波数、第３の実施形態では系統周期を他装置に送信したが、いずれも系統電気量を送信して、他装置側で位相等の各要素に変換することもできる。
【００６０】
（４）第２から第４の実施形態を組み合わせて実施することもできる。即ち、まず、第２の実施形態によって系統電気量情報の同期を行い、かつ位相を同期することで保護制御装置間の同期を確立させる。次に、同期の確立後、第３または第４の実施形態によって同期誤差の拡大を抑える。この処理を一定時間周期で繰り返すことで、保護制御装置を絶えず同期させることができる。
【００６１】
（５）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
１０…保護制御装置
１１…入力変換手段
１２…同期発振器
１３…サンプリング位相計測手段
１４…同期発振器補正手段
１５…送信手段
１６…受信手段
１７…系統電気量計測手段
１８…識別記号付加手段
１９…識別記号補正手段
２０…保護制御装置
２１…系統周波数計測手段
３０…保護制御装置
３１…系統周期計測手段
【図１】
2013251969.tif 000003
【図２】
2013251969.tif 000004
【図３】
2013251969.tif 000005
【図４】
2013251969.tif 000006
【図５】
2013251969.tif 000007
【図６】
2013251969.tif 000008
【図７】
2013251969.tif 000009
【図８】
2013251969.tif 000010
【図９】
2013251969.tif 000011
【図１０】
2013251969.tif 000012
【図１１】
2013251969.tif 000013